(57)【要約】【課題】  電位の検出に際し、被治療者が不用意に数千ボルトの高電位を受けることを防いで、被治療者に安心感を与えることができる検電機能付きリモートコントローラを提供する。【解決手段】  操作部は、電位治療器本体５１の電源を切断するための電源切スイッチ１１と、電位治療の方法等を選択するための治療選択スイッチ１２と、電位治療の方法等の設定により電位治療器本体５１を起動させるための治療開始スイッチ１３と、操作内容を電位治療器本体５１に送信するための操作情報送信部１４と、被治療者の身体に高電位が印加されている状態であるか否かを確認するための電位検出確認ランプ１５及び図示しない電位検出確認ブザーと、電位の検出を行う必要がある時に押下される電位検出スイッチ１６とを備えて構成されている。【選択図】      図１
2007097618.tif 000002
【特許請求の範囲】
【請求項１】
治療マットに高電位を印加して、前記高電位の作用により被治療者の治療や健康増進を図る電位治療器の本体を制御すると共に、前記治療マットに対して前記高電位が印加されているか否かを確認するための検電機能付きリモートコントローラであって、
前記電位治療器本体の電源を切断するための電源切スイッチと、
電位治療の方法等を選択するための治療選択スイッチと、
前記治療選択スイッチの設定により前記電位治療器本体を起動させるための治療開始スイッチと、
前記治療マットに高電位が印加されている状態であるか否かを検出し確認するための電位検出確認手段と、
前記電位の検出を行う必要がある時に押下される電位検出スイッチと、
リモートコントローラの操作内容を前記電位治療器本体に送信するための操作情報送信手段と、
を備えたことを特徴とする検電機能付きリモートコントローラ。
【請求項２】
前記治療選択スイッチにより選択可能な前記電位治療の方法には、少なくとも、前記治療マットに印加する電位の出力レベル、出力パターン、前記治療マットに印加する電位の治療時間のいずれか１つが含まれていることを特徴とする請求項１記載の検電機能付きリモートコントローラ。
【請求項３】
前記電位検出スイッチの押下により、前記電位の検出がなされた時には、ランプの発光、または／およびブザーの鳴動により報知する機能を備えたことを特徴とする請求項１または請求項２記載の検電機能付きリモートコントローラ。
【請求項４】
治療マットに高電位を印加して、前記高電位の作用により被治療者の治療や健康増進を図る電位治療器の本体を制御すると共に、前記治療マットに対して前記高電位が印加されているか否かを確認するための検電機能付きリモートコントローラであって、検電機能付きリモートコントローラの背面側下方に、電池を収納する、該電池の高さよりやや長い収納凹部を凹設すると共に、該収納凹部の下方側壁面に少なくとも１本の溝を刻設し、且つ前記収納凹部の上方側内側壁面に接点を突設する一方、前記溝に摺動可能に嵌合できる少なくとも１本のガイドを内側壁下面に垂設して形成された電池カバーを、前記収納凹部上に上・下方向にスライド可能にして嵌合固定すると共に、前記電池カバーの上方へのスライドに伴い、前記ガイドにより電池を上方へ押圧して、接点に電池が電気的に接触するようにした電池収納部を備えたことを特徴とする電位治療器における検電機能付きリモートコントローラ。
【発明の詳細な説明】
【技術分野】
【０００１】
本発明は、検電機能付きリモートコントローラに関し、特に、絶縁された被治療者の身体に数千ボルトの高電位を印加し、この電位の作用により、当該被治療者の病気の治療や、健康増進を図るための電位治療器の付属機器として、当該電位治療器の本体を制御し、且つ電位の検出を確認する検電機能付きリモートコントローラ（以下、「リモコン」と略称する）、および電池の出し入れが容易である電池収納部を備えた検電機能付きリモートコントローラに関する。
【背景技術】
【０００２】
従来、電位治療器は、被治療者に数千ボルトの高電位を印加して、この高電位の作用で前記被治療者の治療や健康増進を図るものであるが、前記被治療者の身体には治療マットとの電気的な接触により、電位だけを印加して、電流は流さないようにするため、治療に際しては、この治療マットは絶縁シートで完全に絶縁される。このため、電位治療器本体の制御に際しては、高電位を印加された被治療者が、この電位治療器本体を、手操作を介した無線通信手段により遠隔操作できる装置（即ち無線式のリモコン）を使用することが最適であり、このような機能を備えたリモコンが既に開発されている。
【０００３】
従来の電位治療器用のリモコンは、初期には電位治療器本体の電源を入切する遠隔操作機能を備えただけのものが多く見られた。その後、被治療者の症状に合わせて治療方法を変えるために、印加する電位等の設定を可能にする遠隔操作機能を付加したものが開発された。
【０００４】
近年では、前記各遠隔操作機能に加えて、治療マットに対して、実際に電位が印加されているか否かを検知したり、治療マットに対して実際に印加される電位の大きさを検出するための検電機能が付加されたものが開発されており、例えば、特許文献１（特開平１０−１７９７６５）には、電位治療器本体の電位出力を入切する遠隔操作機能と、実際に印加される電位を検出するための検電機能とを備えたもの（「電位治療器のリモートコントロール装置」）が開示されている。
【０００５】
【特許文献１】特開平１０−１７９７６５号公報
【発明の開示】
【発明が解決しようとする課題】
【０００６】
しかしながら、前記背景技術で述べた従来の電位治療器用のリモートコントローラにあっては、被治療者に対する安全面への配慮が欠けており、例えば、前記特許文献１に開示された「電位治療器のリモートコントロール装置」の場合、開示されているリモコンは、電位治療器本体の電源を切断する機能は備えておらず、電位治療器本体からの数千ボルトの高電位を治療マットに通電したり遮断したりする機能を備えているだけである。
【０００７】
従って、被治療者は、治療中に電位治療器本体の電源をリモコンで確実に切断する手段を与えられておらず、被治療者が電位治療器を使用していない場合に、電位治療器本体の電源が切断されているものと思い込む誤りによって、リモコンを介して電位治療器本体からの数千ボルトの高電位を不用意に治療マットに通電してしまうことがあるという課題があった。
【０００８】
また、特許文献１に開示された「電位治療器のリモートコントロール装置」の場合、リモコンに設置されているスタートスイッチは、電位治療器本体を起動させる目的と、被治療者に印加された電位の検出を開始する目的との２つの目的を併用して設置されており、被治療者が、治療マットに通電されていないことを確認する目的で、このスタートスイッチを長押しせずに押下した際、誤ってリモコンの赤外線ＬＥＤを電位治療器本体の方に向けてしまうと、電位治療器本体が起動して治療マットに高電位が印加されてしまうという課題があった。
【０００９】
本発明は、前記従来の課題を解決すべくなされたものであって、被治療者が不用意に数千ボルトの高電位を受けてしまうことを防いで、被治療者に安心感を与えることができる検電機能付きリモートコントローラを提供することを目的としている。
【課題を解決するための手段】
【００１０】
上記課題を解決するために、請求項１記載の発明は、治療マットに高電位を印加して、前記高電位の作用により被治療者の治療や健康増進を図る電位治療器の本体を制御すると共に、前記治療マットに対して前記高電位が印加されているか否かを確認するための検電機能付きリモートコントローラであって、前記電位治療器本体の電源を切断するための電源切スイッチと、電位治療の方法等を選択するための治療選択スイッチと、前記治療選択スイッチの設定により前記電位治療器本体を起動させるための治療開始スイッチと、前記治療マットに高電位が印加されている状態であるか否かを検出し確認するための電位検出確認手段と、前記電位の検出を行う必要がある時に押下される電位検出スイッチと、リモートコントローラの操作内容を前記電位治療器本体に送信するための操作情報送信手段と、を備えたことを特徴とする。
【００１１】
また、請求項２記載の発明は、請求項１記載の検電機能付きリモートコントローラにおいて、前記治療選択スイッチにより選択可能な前記電位治療の方法には、少なくとも、前記治療マットに印加する電位の出力レベル、出力パターン、前記治療マットに印加する電位の治療時間のいずれか１つが含まれていることを特徴とする。更に、請求項３記載の発明は、請求項１または請求項２記載の検電機能付きリモートコントローラにおいて、前記電位検出スイッチの押下により、前記電位の検出がなされた時には、ランプの発光、若しくはブザーの鳴動により報知する機能を備えたことを特徴とする。
【００１２】
そしてまた、請求項４記載の発明は、治療マットに高電位を印加して、前記高電位の作用により被治療者の治療や健康増進を図る電位治療器の本体を制御すると共に、前記治療マットに対して前記高電位が印加されているか否かを確認するための検電機能付きリモートコントローラであって、検電機能付きリモートコントローラの背面側下方に、電池を収納する、該電池の高さよりやや長い収納凹部を凹設するとともに、該収納凹部の下方側壁面に少なくとも１本の溝を刻設し、且つ前記収納凹部の上方側内側壁面に接点を突設する一方、前記溝に摺動可能に嵌合できる少なくとも１本のガイドを内側壁下面に垂設して形成された電池カバーを、前記収納凹部上に上・下方向にスライド可能にして嵌合固定すると共に、前記電池カバーの上方へのスライドに伴い、前記ガイドにより電池を上方へ押圧して、接点に電池が電気的に接触するようにした電池収納部を備えたことを特徴とする。
【発明の効果】
【００１３】
本発明の検電機能付きリモートコントローラによれば、電位の検出に際し、被治療者が不用意に数千ボルトの高電位を受けることを防いで、被治療者に安心感を与えることができる検電機能付きリモートコントローラを提供することができる。
【００１４】
また、電源切スイッチを設けたことにより、電位治療器本体の電源を確実に切断することができるので、電位治療器の各ユニットを安全に取り扱うことができる検電機能付きリモートコントローラを提供することができる。
【００１５】
更に、被治療者の現在の症状に適合させて治療方法を選択できる検電機能付きリモートコントローラを提供することができる。
【００１６】
そして更に、電池収納部において、電池カバーのガイドで電池を上方へ押圧してスライドさせることにより、接点に電気的に接触するよう構成されているので、電池の収納凹部への出し入れが容易である。
【発明を実施するための最良の形態】
【００１７】
以下、本発明の検電機能付きリモートコントローラの最良の実施形態について、図面を参照して詳細に説明する。
【００１８】
図１は、本発明の実施形態に係る検電機能付きリモートコントローラの操作部を示す平面図である。図１において、本実施形態の検電機能付きリモートコントローラ（検電機能付きリモコン）１の操作部は、後述する電位治療器本体５１（図６参照）の電源を切断するための電源切スイッチ１１と、電位治療の方法等を選択するための治療選択スイッチ１２と、治療選択スイッチ１２の設定により電位治療器本体５１を起動（即ち電位印加）させるための治療開始スイッチ１３と、被治療者による操作内容を電位治療器本体５１に送信するための操作情報送信部１４と、治療マット５２に高電位が印加されている状態であるか否かを確認するための、電位検出確認手段を構成する、例えば、電位検出確認ランプ１５及び図示しない電位検出確認ブザーと、電位の検出を行う必要がある時に押下される電位検出スイッチ１６とを備える。
【００１９】
前記操作情報送信部１４は、赤外ＬＥＤ（赤外発光ダイオード）等の発光素子で構成することができる。また、電位検出ランプ１５は、受光型フォトダイオード等の受光素子で構成することができる。以下、本実施形態の検電機能付きリモートコントローラの操作部が有する機能について、更に詳細に説明する。
【００２０】
電源切スイッチ１１は、被治療者が、電位治療器本体５１（図６参照）の電源を切断したい時に押下するスイッチである。なお、安全面を配慮して、電位治療器本体５１の電源を投入するためのスイッチは備えていない。そして、前記電源切スイッチ１１を有効に機能させるには、操作情報送信部１４を、電位治療器本体５１の受光部５１１（図６参照）の方角に向けていなければならない。
【００２１】
治療選択スイッチ１２は、被治療者が、電位治療の方法等を選択する時に押下するスイッチである。この電位治療の方法等として、印加する電位の出力レベルや出力パターンを指定したり、治療時間を指定したりすることが可能である。また、前記治療開始スイッチ１３は、被治療者が、電位治療の方法等の設定に基づいて、電位治療器本体５１を起動したい時に押下するスイッチである。電位治療器本体５１の電源が投入されている時に治療開始スイッチ１３が押下されると、電位治療器本体５１から治療マット５２に、設定された出力レベルの電位が印加される。そして、前記治療開始スイッチ１３を有効に機能させるには、操作情報送信部１４を、電位治療器本体５１の受光部５１１（図５参照）の方角に向けていなければならない。なお、前記治療開始スイッチ１３は、電位治療器本体５１の電源を投入するためのスイッチではない。
【００２２】
前記治療選択スイッチ１２は、図１においては、３個のスイッチより成るが、その個数は３個に限定されるものではない。図１における３個のスイッチは、被治療者がそれぞれ治療内容に応じて押下げて選択する。これら３個のスイッチより成る治療選択スイッチ１２は、図示していないが、電位治療器本体５１に設けられた治療選択スイッチ１２の各治療方法、例えば「高圧治療」・「快適（長時間）治療」・「自動プログラムによる治療」を示すスイッチの色と同色にすることが好ましく、これにより被治療者の選択操作を容易にすることができる。
【００２３】
前記操作情報送信部１４は、被治療者が、本リモコンの操作内容がコード化されて成る信号を、内蔵する発光素子を介して赤外線信号等に変換し、電位治療器本体５１に送信するための送信部である。そして、前記電位検出確認ランプ１５は、被治療者が、治療マットに高電位が印加されている状態であるか否かを確認するためのランプである。前記電位検出確認ランプ１５は、治療マット５２に高電位が印加されている状態では点灯する。この点灯は点滅であってもよい。また、電位検出確認ランプ１５のランプ部は透過性の赤色塗料等で着色されていてもよい。更に、治療マット５２に高電位が印加されている状態であるか否かを確認する手段は、前記電位検出確認ランプ１５に代えてブザーの鳴動により報知するものであってもよいし、あるいは、前記電位検出確認ランプ１５とブザー鳴動により報知するものとを同時に備えていてもよい。
【００２４】
前記電位検出スイッチ１６は、被治療者が、治療マット５２に高電位が印加されている状態であるか否かを確認したい時に押下するスイッチである。また、この場合、電位検出スイッチ１６を押下続けることで、はっきりと治療マット５２に高電位が印加されている状態であるか否かを確認することができる。
【００２５】
図４は、本発明の実施形態に係る検電機能付きリモートコントローラの電池収納部２０の構造と機能を説明するための示すための説明図であり、図４（ａ）は、接点が電池と電気的に接触する前の状態の縦断面図を示し、図４（ｂ）は、接点が電池と電気的に接触した状態の縦断面図を示すものである。
【００２６】
図２は、本発明の実施形態に係る検電機能付きリモートコントローラの背面部を、電池カバーを取外して示す組立分解斜視図、図３は、電池カバーを裏側から見た斜視図である。図２，３に示すように、本実施形態に係る検電機能付きリモートコントローラにおける電池収納部２０は、検電機能付きリモートコントローラ１の背面側下方に、電池２１を収納する、該電池２１の高さよりやや長い収納凹部２２を凹設すると共に、該収納凹部２２の下方側壁面に間隔を有して２本の溝２３を刻設し、且つ前記収納凹部２２の上方側内側壁面に接点２４を突設する一方、前記２本の溝２３に摺動可能に嵌合できる２本のガイド２５を内側壁下面に垂設して形成された電池カバー２６を、前記収納凹部２２上に上・下方向にスライド可能にして嵌合固定できるようにして形成されている。なお、前記溝２３及びガイド２５は、実施形態においては、それぞれ２本ずつ設けられているが、少なくとも１本の溝及びガイドであっても、その目的を達することができる。
【００２７】
前記構成より成る電池収納部２０の収納凹部２２に、図４（ａ）に示すように、電池２１を収納した状態では、接点２４は電池２１とは電気的に接触していない。その後、電池カバー２６の各ガイド２５を２本の溝２３に嵌挿して、前記電池カバー２６を上方向へスライドさせると、図４（ｂ）に示すように、前記電池２１の底部が各ガイド２５により上方向へ押圧されて、上方移動し、該電池２１の接点２１ａが前記接点２４に圧接して、該接点２４は電池２１と電気的に接触する。
従って、前記電池収納部２０によれば、従来のように、電池を押しばねと接点間に挟持させる必要がなく、単に収納凹部２２内に電池２１を収納するだけでよいので、該電池２１の出し入れが迅速にできる。
【００２８】
図５は、本発明の実施形態に係る検電機能付きリモートコントローラの電気的な回路構成を示すブロック図であり、図５（ａ）は、治療マット５２に印加された電位を検出するための回路の構成を示し、図５（ｂ）は操作入力を受け付けて電位治療器本体５１に伝達するための回路の構成を示すものである。図５（ａ）に示す回路と、図５（ｂ）に示す回路とは、１枚の基板上に形成することができる。
【００２９】
図５（ａ）に示す回路は、治療マット５２に印加された電位を検出するための検知回路３１と、検知された信号成分を増幅するための検知信号増幅回路３２と、増幅された検知信号に対応した表示装置（ＬＥＤやブザー）を駆動するための検知信号変換回路３３（音声・表示ドライブ回路）と、前記検知信号変換回路３３（音声・表示ドライブ回路）からの出力により発光するＬＥＤ３４と、同じく前記検知信号変換回路３３（音声・表示ドライブ回路）からの出力により鳴動するブザー３５とを備える。
【００３０】
図５（ｂ）に示す回路は、入力された操作を指令信号に変換する操作入力回路４１と、操作入力回路４１からの入力により、リモコン回路への電源供給を行う電源回路４２と、操作入力回路４１からの入力により、それに応じてコード化された送信信号を出力する制御回路４３と、制御回路４３からの送信信号を赤外発光信号に変換する赤外線ＬＥＤ４４とを備える。
【００３１】
赤外発光信号に変換される指令信号には、電源切スイッチ１１、治療選択スイッチ１２、及び治療開始スイッチ１３を介した入力に対応する指令信号が含まれ、電位検出スイッチ１６からの入力は、図５（ａ）に示す回路を駆動するためだけに使用される。
【００３２】
図６は、本発明の実施形態に係る検電機能付きリモートコントローラが実際に使用される形態を示す説明図である。電位治療器本体５１は治療マット５２を介して被治療者の身体（図示は省略）に対して高電位を印加するために、治療マット５２と電気的に接続されている。検電機能付きリモコン１は、被治療者が手に持って操作するリモコンであり、入力された操作は、操作情報送信部１４を電位治療器本体５１の方向に向けた状態で治療開始スイッチ１３（図１参照）を押下することにより、操作情報送信部１４を介して、赤外線信号として電位治療器本体５１に送信される。
【００３３】
また、治療マット５２に印加された電位は、電位検出スイッチを押下することにより、内蔵された検知回路３１（図５（ａ）参照）が検知する。治療マット５２と床面との間には絶縁シートが敷かれ、これにより、被治療者及び治療マット５２は、床面から絶縁される。
【００３４】
本発明の検電機能付きリモートコントローラによれば、電位の検出に際し、被治療者が不用意に数千ボルトの高電位を受けることを防いで、被治療者に安心感を与えることができる効果がある。
【図面の簡単な説明】
【００３５】
【図１】本発明の実施形態に係る検電機能付きリモートコントローラの操作部を示す平面図である。
【図２】本発明の実施形態に係る検電機能付きリモートコントローラの背面部を、電池カバーを取外して示す組立分解斜視図である。
【図３】本発明の実施形態に係る検電機能付きリモートコントローラに使用する電池カバーを裏側から見た斜視図である。
【図４】本発明の実施形態に係る検電機能付きリモートコントローラにおける電池収納部の構造と機能を説明するための示すための説明図であり、図４（ａ）は、接点が電池と電気的に接触する前の状態の縦断面図を示し、図４（ｂ）は、接点が電池と電気的に接触した状態の縦断面図を示すものである。
【図５】本発明の実施形態に係る検電機能付きリモートコントローラの電気的な回路構成を示すブロック図であり、図５（ａ）は、治療マットに印加された電位を検出するための回路の構成を示し、図５（ｂ）は、操作入力を受け付けて電位治療器本体に伝達するための回路の構成を示すものである。
【図６】本発明の実施形態に係る検電機能付きリモートコントローラが実際に使用される形態を示す説明図である。
【符号の説明】
【００３６】
１  検電機能付きリモコン（本発明のリモコン）
１１  電源切スイッチ
１２  治療選択スイッチ
１３  治療開始スイッチ
１４  操作情報送信部
１５  電位検出確認ランプ
１６  電位検出スイッチ
２０  電池収納部
２１  電池
２２  収納凹部
２３  溝
２４  接点
２５  ガイド
２６  電池カバー
３１  検知回路
３２  検知信号増幅回路
３３  検知信号変換回路
３４  ＬＥＤ
３５  ブザー
４１  操作入力回路
４２  電源回路
４３  制御回路
４４  赤外線ＬＥＤ
【図１】
2007097618.tif 000003
【図２】
2007097618.tif 000004
【図３】
2007097618.tif 000005
【図４】
2007097618.tif 000006
【図５】
2007097618.tif 000007
【図６】
2007097618.tif 000008